(57)【特許請求の範囲】
【請求項１】
玄関と居室空間との間にペット用空間を備えた住宅であって、
屋外から前記玄関に通じ、人とペットが出入り可能な第１の出入り口と、
前記玄関から前記居室空間に通じ、前記ペット用空間を通らずに、人が出入り可能な第２の出入り口と、
前記玄関から前記ペット用空間に通じ、人とペットが出入り可能な第３の出入り口と、
前記ペット用空間から前記居室空間に通じ、ペットが出入り可能な第４の出入り口とを備え、
前記ペット用空間は、通路空間と、前記通路空間と前記居室空間との間に設けられているペット飼育空間とを含み、
前記第３の出入り口は前記通路空間に設けられ、前記第４の出入り口は前記飼育空間に設けられ、
前記ペット飼育空間の上には、前記通路空間側に背板が設けられ、前記居室空間から収納可能な収納空間が設けられている、住宅。
【請求項２】
前記出入り口には、開閉可能な戸がそれぞれ設けられている、請求項１に記載の住宅。
【請求項３】
少なくとも前記第２の出入り口の戸および前記第４の出入り口の戸は、施錠可能である、請求項２に記載の住宅。
【請求項４】
前記ペット用空間の通路空間は、玄関土間と略面一である、請求項１〜３のいずれかに記載の住宅。
【請求項５】
前記第２の出入り口と前記第３の出入り口の間に、玄関収納が設けられている、請求項１〜４のいずれかに記載の住宅。
【発明の詳細な説明】
【技術分野】
【０００１】
この発明は、ペット用の空間を備えた住宅に関する。
【背景技術】
【０００２】
近年、犬などのペットを屋内で飼育する家庭が増加している。しかし、特に、マンションやアパートなどの集合住宅においては、各住戸の居住面積が限られているため、ペット用の飼育空間を別途設けることは難しい。
【０００３】
このような問題を解決するため、特開２０１１−９７８９２号公報（特許文献１）には、人が使用する収納棚とペットが使用するペット飼育空間とを合体させて、室内空間を有効活用することができるペット飼育空間を備えた収納棚が開示されている。ペット飼育空間には、室外につながるペット専用のくぐり戸が設けられ、くぐり戸は施錠可能であることが開示されている。
【先行技術文献】
【特許文献】
【０００４】
【特許文献１】特開２０１１−９７８９２号公報
【発明の概要】
【発明が解決しようとする課題】
【０００５】
近年、飼い主がペットの世話をすることができない場合、飼い主に代わって、ペットシッターにペットの世話を任せることがある。このような場合、住宅の鍵をペットシッターに預ける必要があり、特許文献１のペット飼育空間を備えた住宅では、ペットの世話は居室側からしかできないため、飼い主のプライバシーやセキュリティー上の問題があった。
【０００６】
本発明は、上記のような課題を解決するためになされたものであって、その目的は、飼い主のプライバシーを保護し、セキュリティを強化することのできる住宅を提供することである。
【課題を解決するための手段】
【０００７】
この目的のため、本発明の一態様に係る住宅は、玄関と居室空間との間にペット用空間を備えた住宅であって、屋外から玄関に通じ、人とペットが出入り可能な第１の出入り口と、玄関から居室空間に通じ、ペット用空間を通らずに、人が出入り可能な第２の出入り口と、玄関からペット用空間に通じ、人とペットが出入り可能な第３の出入り口と、ペット用空間から居室空間に通じ、ペットが出入り可能な第４の出入り口とを含む。
【０００８】
好ましくは、各出入り口には、開閉可能な戸がそれぞれ設けられている。
【０００９】
好ましくは、少なくとも第２の出入り口の戸および前記第４の出入り口の戸は、施錠可能である。
【００１０】
好ましくは、ペット用空間は、玄関土間と略面一の通路空間と、通路空間と居室空間との間に設けられているペット飼育空間とを含み、第３の出入り口は通路空間に設けられ、第４の出入り口は前記飼育空間に設けられる。
【００１１】
好ましくは、ペット飼育空間の上には、居室空間から収納可能な収納空間が設けられている。
【００１２】
好ましくは、第２の出入り口と第３の出入り口の間に、玄関収納が設けられている。
【発明の効果】
【００１３】
本発明によれば、飼い主のプライバシーを保護し、セキュリティを強化することのできる住宅を提供することができる。
【図面の簡単な説明】
【００１４】
【図１】本発明の実施の形態に係る住宅の構成例を示す間取り図である。
【図２】本発明の実施の形態においてペット飼育空間を有する戸棚の正面図である。
【図３】本発明の実施の形態においてペット飼育空間を有する戸棚を居室空間側から見た斜視図である。
【図４】本発明の実施の形態に係る住宅における人とペットの動線を模式的に示す図である。
【発明を実施するための形態】
【００１５】
本発明の実施の形態について図面を参照しながら詳細に説明する。なお、図中同一または相当部分には同一符号を付してその説明は繰り返さない。
【００１６】
図１を参照して、本発明の実施の形態に係る住宅について説明する。以下の説明において、矢印Ａ１は住戸１０の横幅方向を示し、矢印Ａ２は住戸１０の奥行き方向を示している。
【００１７】
本実施の形態に係る住宅は、典型的には、集合住宅の住戸１０である。集合住宅は、たとえば、マンションやアパートである。各住戸１０は、たとえば、共用廊下に面する外壁１１と一対の側壁１２，１３とによって三方が囲まれている。
【００１８】
住戸１０は、玄関２１と居室空間２２との間にペット用空間２３を備える。玄関２１は、たとえば、履物などを置く玄関土間が設けられている。居室空間２２は、たとえば、リビング、ダイニングまたは個室である。ペット用空間２３は、犬などのペットが滞在する空間であり、詳細は後述する。
【００１９】
玄関２１、ペット用空間２３および居室空間２２は、奥行き方向において並んで配置されている。玄関２１とペット用空間２３の横幅は同一であり、玄関２１とペット用空間２３の横幅方向一方側には、居室空間２２につながる廊下２４が設けられていてもよい。本実施の形態では、廊下２４とペット用空間２３および玄関２１とは、横幅方向において、住戸１０の間仕切り壁１４によって仕切られている。さらに、玄関２１とペット用空間２３とは、奥行き方向において、間仕切り壁１４に直交する間仕切り壁１５によって仕切られている。
【００２０】
ペット用空間２３は、犬などのペットの小屋の代わりとなるペット飼育空間２５と、通路空間２６とを含んでもよい。ペット飼育空間２５は、犬などのペットだけが入ることができ、就寝、休息、食事、トイレなどをするためのスペースである。ペット飼育空間２５は、居室空間２２に面して設けられている。通路空間２６は、犬などのペットと人が入ることができるスペースである。通路空間２６は、玄関２１に面して設けられる。通路空間２６の床の高さは、玄関土間と略面一であり、玄関土間と同一の素材で形成されており、土足のままで入ることができる。
【００２１】
屋外の共用廊下と玄関２１との間には、屋外から玄関２１に通じる第１の出入り口３１が設けられる。第１の出入り口３１は、人とペットが出入り可能である。第１の出入り口３１には、開閉可能な第１の戸４１が設けられる。第１の戸４１は、住戸１０の玄関扉であり、開き戸であるが、引き戸であってもよい。第１の戸４１は、施錠可能である。
【００２２】
玄関２１と廊下２４との間には、玄関２１から廊下２４を通って居室空間２２に通じる第２の出入り口３２が設けられる。第２の出入り口３２は、間仕切り壁１４に設けられており、ペット用空間２３を通らずに、人だけが出入り可能である。第２の出入り口３２には、開閉可能な第２の戸４２が設けられる。第２の戸４２は、引き戸であるが、開き戸であってもよい。第２の戸４２は、施錠可能である。玄関２１と廊下２４との境界部分、つまり、第２の出入り口３２には、段差（上框）が設けられていてもよい。
【００２３】
玄関２１と通路空間２６との間には、玄関２１から通路空間２６に通じる第３の出入り口３３が設けられる。第３の出入り口３３は、間仕切り壁１５に設けられており、人とペットが出入り可能である。第３の出入り口３３には、開閉可能な第３の戸４３が設けられる。第３の戸４３は、開き戸であるが、引き戸であってもよい。第３の戸４３は、施錠可能である必要はない。
【００２４】
ペット飼育空間２５と居室空間２２との間には、ペット飼育空間２５から居室空間２２に通じる第４の出入り口３４が設けられる。第４の出入り口３４は、ペットだけが出入り可能である。第４の出入り口３４には、開閉可能な第４の戸４４が設けられる。第４の戸４４は、たとえば、複数の引き戸であるが、開き戸であってもよい。しかし、ペットがペット飼育空間２５を出入りする際に、挟まれる可能性があるため、第４の戸４４は、引き戸であることが好ましい。第４の戸４４は、施錠可能である。
【００２５】
ペット飼育空間２５と通路空間２６との間には、ペット飼育空間２５から通路空間２６に通じる第５の出入り口３５が設けられていてもよい。第５の出入り口３５も、ペットだけが出入り可能である。第５の出入り口３５には、開閉可能な第５の戸４５が設けられる。第５の戸４５は、たとえば、複数の引き戸であるが、開き戸であってもよい。しかし、ペットがペット飼育空間２５を出入りする際に、挟まれる可能性があるため、第５の戸４５は、引き戸であることが好ましい。第５の戸４５は、施錠可能でなくてもよい。
【００２６】
また、第２の出入り口３２と第３の出入り口３３との間には、靴などを収納することができる玄関収納５０設けられている。具体的には、玄関収納５０は、間仕切り壁１５，１４に沿って、玄関２１に設けられる。したがって、玄関収納５０は、第２の出入り口３２と第３の出入り口３３の境界としての機能を有する。
【００２７】
ペット飼育空間２５は、戸棚７０によって形成されていてもよい。図２、３を参照して、ペット飼育空間２５を形成する戸棚７０について説明する。図２は、ペット飼育空間２５を形成する戸棚７０を示す正面図であり、図３は、戸棚７０を居室空間２２側から見た斜視図である。図２の矢印Ａ３の高さ方向は、戸棚７０の上下方向を示している。
【００２８】
戸棚７０は、ペット飼育空間２５に加え、収納空間６０を形成している。これらの空間２５，６０は、仕切り面部材５３により、上下に区切られている。具体的には、仕切り面部材５３の下方にはペット飼育空間２５が設けられ、仕切り面部材５３の上方には収納空間６０が設けられる。
【００２９】
戸棚７０は、横幅方向両側に平行に配置される右側板５１および左側板５２と、底板５７と、上板６４とを含む。戸棚７０は、たとえば、高さが１８００〜２２００ｍｍであり、横幅が６００〜１８００ｍｍであり、奥行きが５００〜７００ｍｍである。仕切り面部材５３は、底板５７と上板６４との間に位置し、右側板５１および左側板５２の間に掛け渡されている。
【００３０】
まず、ペット飼育空間２５について説明する。上述したように、ペット飼育空間２５の居室空間２２側には、開閉可能で施錠することができる第４の戸４４が設けられる。また、ペット飼育空間２５の通路空間２６側には、開閉可能であるが、施錠することができない第５の戸４５が設けられる。仕切り面部材５３の高さは、８００〜１０００ｍｍである。これにより、第４の戸４４と第５の戸４５とを開けておくことで、ペットだけが、ペット飼育空間２５を介して居室空間２２と通路空間２６とを行き来することができる。
【００３１】
ペット飼育空間２５は、たとえば、隔壁部材５４により横幅方向に仕切られたトイレ室５５およびベッド室５６を有する。トイレ室５５には、ペットが排泄するためのトイレ用トレーが設けられ、ベッド室５６には、ペットが休憩や睡眠をとるためのバスケットが設けられている。戸棚７０の底板５７は、ペット飼育空間２５の床面を形成する。ペット飼育空間２５の床面の高さは、居室空間２２の床面の高さと面一であって、通路空間２６の床面の高さより高い。または、ペット飼育空間２５の床の高さは、居室空間２２の床面の高さより低く、通路空間２６の床面の高さと面一である。戸棚７０の底板５７は、耐久性や防汚性を有する素材で形成されている。
【００３２】
次に、収納空間６０について説明する。収納空間６０は、通路空間２６側に背板６１が設けられ、居室空間２２側に複数の引き戸６２が設けられる。このため、収納空間６０は、居室空間２２からのみ収納物を収納可能である。収納空間６０は、収納空間６０を横幅方向に仕切る隔壁部材６６と、複数の棚板６５とを含む。これにより、通常であればデッドスペースとなるペット飼育空間２５の上方を収納空間６０として利用することができ、室内空間を有効活用することができる。
【００３３】
居室空間２２には、ペット撮影用のカメラ（図示せず）が設置されていてもよい。ペット撮影用のカメラは、３６０°角度が調整可能であり、撮影された映像はインターネットを介してスマートフォンで確認することができる。これにより、飼い主は、外出中でもペットの様子を確認することができ、安心である。
【００３４】
図４を参照して、本実施の形態に係る住宅における人とペットの動線を説明する。図４（Ａ）は、ペットが在宅している場合において、人とペットの動線を説明する図であり、図４（Ｂ）は、ペットが散歩から帰宅した場合の人とペットの動線を説明する図である。
【００３５】
図４（Ａ）に示すように、飼い主が住戸１０に帰宅した場合は、第１の戸４１から玄関２１に入り、第２の戸４２から廊下２４を通り、居室空間２２に入る。飼い主は、外出する場合も、常に第２の出入り口３２を通る。また、ペットの住戸１０内での居場所は、ペット飼育空間２５である。居室空間２２とペット飼育空間２５との間に設けられる第４の戸４４を開放しておくことにより、ペットは、第４の出入り口３４から居室空間２２に自由に移動でき、飼い主と触れ合うことができる。
【００３６】
また、飼い主がペットと散歩に行って帰ってきた場合、図４（Ｂ）に示すように、飼い主とペットは、第１の戸４１から玄関２１に入り、第３の戸４３から通路空間２６に入る。飼い主は、通路空間２６でペットの足などを拭くなどペットの世話をする。ペットの世話が終わると、ペットは、第５の戸４５からペット飼育空間２５に入り、飼い主は、図４（Ａ）に示すように、第２の戸４２から廊下２４を通って居室空間２２に入る。これにより、飼い主は、通路空間２６でペットの手入れをすることができるため、廊下２４や居室空間２２が汚れることがない。
【００３７】
飼い主は、長期の旅行や仕事などでペットの世話をすることができない場合、ペットの世話をペットシッターに依頼することがある。図４（Ｂ）を参照して、ペットの散歩や世話をペットシッターに依頼する場合、第１の戸４１の鍵をペットシッターに預ける必要がある。しかし、飼い主は、第２の戸４２および第４の戸４４に鍵をかけておくことで、ペットシッターは、玄関２１とペット用空間２３にしか出入りできない。そのため、ペットシッターは、居室空間２２に入ることはできないため、飼い主のプライバシーを保護することができ、セキュリティを強化することができる。また、ペットシッターもペットの世話を通路空間２６ですることができるため、廊下２４や居室空間２２が汚れることがない。
【００３８】
他方、飼い主が在宅時においても、ペットを居室空間２２に入れたくないときには、第３の戸４３と第４の戸４４を閉めて、ペット用空間２３を独立させ、ペットをペット用空間２３内に滞在させることができる。この場合、第５の戸４５を開けておくことで、ペットは、ペット飼育空間２５だけでなく通路空間２６にも行き来することができるため、圧迫感を受けない。
【００３９】
なお、上記実施の形態において、ペット用空間２３は、ペット飼育空間２５と通路空間２６とに分けられているとして説明したが、共通の空間であってもよい。
【００４０】
また、上記実施の形態において、第１〜５の出入り口３１〜３５には、それぞれ第１〜５の戸４１〜４５が設けられているとして説明したが、第２〜５の戸４２〜４５は設けられていなくてもよい。その場合、互いに隣接する空間の境界が明確となるよう、第１〜５の出入り口３１〜３５には、段差が設けられていたり、床面の素材が異なるように形成されていればよい。
【００４１】
また、上記実施の形態において、玄関２１とペット用空間２３の横方向一方側に廊下２４が設けられ、第２の出入り口３２は、廊下２４を介して居室空間２２に連通しているとして説明した。しかし、第２の出入り口３２は、玄関２１から廊下２４を介さずに、居室空間２２に通じていてもよい。
【００４２】
また、第２の戸４２および第３の戸４３は、それぞれ玄関収納５０を境界として、互いに直交する間仕切り壁１４，１５に沿って設けられるとした。しかし、第２の戸４２および第３の戸４３は、共通の間仕切り壁に沿って設けられていてもよい。この場合においても、第２の戸４２および第３の戸４３は、玄関収納５０を境界として、並んで配置されていることが望ましい。
【００４３】
また、上記実施の形態においてペット飼育空間２５は、戸棚７０により形成されていたが、限定的ではない。つまり、上記した対の側板５１，５２は、住戸１０の壁として構成されてもよい。たとえば、右側板５１は側壁１３、左側板５２は間仕切り壁１４であってもよい。
【００４４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４５】
１０  住戸、１１  外壁、１２，１３  側壁、１４，１５  間仕切り壁、２１  玄関、２２  居室空間、２３  ペット用空間、２４  廊下、２５  ペット飼育空間、２６通路空間、３１  第１の出入り口、３２  第２の出入り口、３３  第３の出入り口、３４  第４の出入り口、３５  第５の出入り口、４１  第１の戸、４２  第２の戸、４３  第３の戸、４４  第４の戸、４５  第５の戸、５０  玄関収納、５１  右側板、５２  左側板、５３  仕切り面部材、５４  隔壁部材、５５  トイレ室、５６  ベッド室、５７  底板、６０  収納空間、６１  背板、６２  引き戸、６４  上板、６５  棚板、６６  隔壁部材、７０  戸棚。
【図１】
0006737584.tif 000002
【図２】
0006737584.tif 000003
【図３】
0006737584.tif 000004
【図４】
0006737584.tif 000005